(57)【要約】 【課題】不正行為を良好に防止できる入賞装置を提供する。【解決手段】入賞装置５は、台板１０の前部にて回動可能な一対の回動翼片３０と、ソレノイド４０（駆動アクチュエータ）と、ソレノイド４０の駆動力を回動翼片３０へ伝達する伝達部材５０と、ソレノイド４０および伝達部材５０を収容するベース体６０とを備える。ベース体６０の各内側壁６５には、伝達部材５０の各アーム部５１を移動可能に支持する支持軸部６５ｃが設けられる。各アーム部５１には、支持軸部６５ｃと係合する長孔５３ａを有する軸受け部５３が設けられる。台板１０の内側壁１７（ガイド壁）には、各アーム部５１のガイド突部５７と係合可能なガイド溝１７ａ２が設けられる。各内側壁６５の支持軸部６５ｃおよび各アーム部５１の軸受け部５３は、ベース体６０の外側壁６３よりも内側位置に配置され、各内側壁１７のガイド溝１７ａ２および各アーム部５１のガイド突部５７は、台板１０の外側壁１５よりも内側位置に配置される。【選択図】図８
2010253008.tif 000002
【特許請求の範囲】
【請求項１】
遊技機の遊技盤に固定される台板の前部に該遊技盤と交差する軸線回りに回動可能に支持されて遊技球が入球し難い閉位置と入球し易い開位置との間で開閉動作する一対の回動翼片と、
直線移動可能なプランジャを有する駆動アクチュエータと、
前記プランジャが有する作用部と係合可能な被作用部を有し、それら被作用部と作用部との係合により該プランジャの直線移動を前記回動翼片の回転移動に変換しつつ前記駆動アクチュエータの駆動力を該回動翼片へ伝達する伝達部材と、
前記台板の後部に取り付けられて前記駆動アクチュエータおよび前記伝達部材を収容するベース体とを備え、
前記ベース体には、前記プランジャの動作に応じて前記回動翼片が前記閉位置と前記開位置との間で開閉動作するよう前記伝達部材を移動可能に支持する支持軸部が設けられ、
前記台板には、前記伝達部材を前記プランジャの動作方向に移動可能とするとともに、前記支持軸部を回転中心とする回動を規制するガイド溝を有するガイド壁が設けられ、
前記伝達部材には、前記支持軸部に係合して該伝達部材を前記プランジャの動作方向に移動可能とするとともに、該支持軸部を回転中心とする回動を許容する長孔を有する軸受け部と、前記ガイド溝に係合した状態で該伝達部材の該支持軸部を回転中心とする回動を規制し、該ガイド溝から離脱した状態で該伝達部材の該支持軸部を回転中心とする回動を許容するガイド突部とが設けられており、
前記支持軸部および前記軸受け部は、前記ベース体の外側壁よりも内側位置に配置され、前記ガイド溝および前記ガイド突部は、前記台板の外側壁よりも内側位置に配置されており、該支持軸部、該軸受け部、該ガイド溝および該ガイド突部のいずれに対しても外部からの接触が禁止されていることを特徴とする遊技機用可変入賞装置。
【請求項２】
前記支持軸部は、前記ベース体の外側壁よりも内側位置に配置される一対の内側壁の外側面にてそれぞれ外向きに突設されており、該ベース体の内部に導入された遊技球が該内側壁の間を通過するように構成されている請求項１に記載の遊技機用可変入賞装置。
【請求項３】
前記内側壁には、前記ベース体の内部に導入された遊技球の通過を検出する近接スイッチが取り付けられる請求項２に記載の遊技機用可変入賞装置。
【請求項４】
請求項１ないし３のいずれか１項に記載の遊技機用可変入賞装置を備えることを特徴とする遊技機。
【発明の詳細な説明】
【技術分野】
【０００１】
本発明は、パチンコ機の始動入賞口等に用いられる遊技機用可変入賞装置と、その遊技機用可変入賞装置を備えるパチンコ機等の遊技機に関する。
【背景技術】
【０００２】
遊技機用可変入賞装置は、遊技球が入球し難い閉位置と入球し易い開位置との間で開閉動作する一対の回動翼片と、直線移動可能なプランジャを有する駆動アクチュエータ（例えば、ソレノイド）と、プランジャの直線移動を回動翼片の回転移動に変換しつつソレノイドの駆動力を回動翼片に伝達する伝達部材とを備えるのが一般的である。この種の遊技機用可変入賞装置として、例えば下記特許文献１には、パチンコ機の隙間から針金等を挿入し、この針金等で閉じた状態にある開閉羽根（回動翼片）を強制的に開かせるように外力を作用させた場合でも、メカ的なロックにより伝達部材の回動を阻止することで上記した不正行為を防止するようにしたものが記載されている。具体的には、伝達部材が一対の連係アームと、両連係アームを連結する連結アームとで構成され、各連係アームが外向きに突設される回動軸を備え、連結アームが外向きに突設される案内ピンを備えている。台板の後側に取り付けられる支持部材（ベース体）の両外側壁には、各連係アームの回動軸を回動可能かつ前後方向に移動可能に支持するための軸受長孔が形成されるとともに、連結アームの案内ピンを案内するための案内溝が形成されている。この案内溝には、前方に向けて延び出す直線溝部（回動規制部）が形成されている。そして、プランジャの突出位置に対応して開閉羽根が閉位置にあるときは、各連係アームの回動軸が軸受長孔の前端に位置するとともに、連結アームの案内ピンが案内溝の直線溝部内に位置するようになっている。閉状態にある開閉羽根を強制的に開かせるような外力が作用した場合には、案内ピンが直線溝部により上方への移動を阻止されることで、伝達部材の回動が規制（ロック）されて開閉羽根の閉状態が保持される。このため、上記した不正行為を防止することが可能である。
【先行技術文献】
【特許文献】
【０００３】
【特許文献１】特開２００８−２７２１２１号公報
【発明の概要】
【発明が解決しようとする課題】
【０００４】
しかしながら、上記特許文献１に記載された遊技機用可変入賞装置では、回動軸を移動させるための軸受長孔、および案内ピンを案内するための案内溝が支持部材の両外側壁を貫通した貫通孔の形態で形成されているので、軸受長孔内の回動軸、および案内溝内の案内ピンに外側壁を通して直接触れることができる。このため、外側壁の外部から回動軸あるいは案内ピンに対して直接後方へ移動させる外力を作用させると、伝達部材のロックを容易に解除できてしまうことから、不正行為を防止する構成としては未だ十分とは言えなかった。
【０００５】
本発明は、上記課題を解決するためになされたものであり、その目的は、不正行為を良好に防止できる遊技機用可変入賞装置を提供することにある。
【課題を解決するための手段および発明の効果】
【０００６】
上記課題を解決するために本発明の遊技機用可変入賞装置は、遊技機の遊技盤に固定される台板の前部に該遊技盤と交差する軸線回りに回動可能に支持されて遊技球が入球し難い閉位置と入球し易い開位置との間で開閉動作する一対の回動翼片と、直線移動可能なプランジャを有する駆動アクチュエータと、プランジャが有する作用部と係合可能な被作用部を有し、それら被作用部と作用部との係合により該プランジャの直線移動を回動翼片の回転移動に変換しつつ駆動アクチュエータの駆動力を該回動翼片へ伝達する伝達部材と、台板の後部に取り付けられて駆動アクチュエータおよび伝達部材を収容するベース体とを備え、ベース体には、プランジャの動作に応じて回動翼片が閉位置と開位置との間で開閉動作するよう伝達部材を移動可能に支持する支持軸部が設けられ、台板には、伝達部材をプランジャの動作方向に移動可能とするとともに、支持軸部を回転中心とする回動を規制するガイド溝を有するガイド壁が設けられ、伝達部材には、支持軸部に係合して該伝達部材をプランジャの動作方向に移動可能とするとともに、該支持軸部を回転中心とする回動を許容する長孔を有する軸受け部と、ガイド溝に係合した状態で該伝達部材の該支持軸部を回転中心とする回動を規制し、該ガイド溝から離脱した状態で該伝達部材の該支持軸部を回転中心とする回動を許容するガイド突部とが設けられており、支持軸部、軸受け部、ガイド溝およびガイド突部は、台板およびベース体の外側壁よりも内側位置に配置されており、該支持軸部、該軸受け部、該ガイド溝および該ガイド突部のいずれに対しても外部からの接触が禁止されていることを特徴とする。
【０００７】
この遊技機用可変入賞装置では、ベース体に伝達部材を移動可能に支持する支持軸部が設けられ、伝達部材にその支持軸部と係合する長孔を有する軸受け部が設けられている。また、台板に伝達部材の回動を規制するガイド溝を有するガイド壁が設けられ、伝達部材にそのガイド溝と係合可能なガイド突部が設けられている。そして、支持軸部および軸受け部は、ベース体の外側壁よりも内側位置に配置され、ガイド溝およびガイド突部は、台板の外側壁よりも内側位置に配置されている。すなわち、従来の遊技機用可変入賞装置とは異なり、ベース体の外側壁に伝達部材の回動軸を移動させるための貫通した軸受長孔や、伝達部材の案内ピンを案内するための貫通した案内溝を形成しなくて済む。これにより、支持軸部、軸受け部、ガイド溝およびガイド突部のいずれに対しても外部から直接触れることができなくなり、伝達部材を直接移動させるような外力を一切与えることができなくなるので、不正行為を良好に防止することができる。
【０００８】
この場合、支持軸部は、ベース体の外側壁よりも内側位置に配置される一対の内側壁の外側面にてそれぞれ外向きに突設されており、該ベース体の内部に導入された遊技球が該内側壁の間を通過するように構成されているとよい。
【０００９】
従来の遊技機用可変入賞装置では、ベース体の内部に導入された遊技球が一対の連係アームの間を通過するように構成されていた。このため、例えばベース体の内部に複数の遊技球が同時に導入された場合等においては、遊技球が連係アームに対して衝撃を与えることがあり、その衝撃により連係アームへの負荷が増大することで、連係アームが円滑に移動できなくなるおそれがあった。しかし、上記した不正行為防止効果のある伝達部材を外側壁よりも内側位置に設けられる一対の内側壁により支持させるようにすることで、両内側壁の間を遊技球が通過するように構成することができる。各内側壁には支持軸部が外向きに突設されているので、遊技球が内側壁に衝撃を与えた場合でも、支持軸部および伝達部材の軸受け部に対しては遊技球の衝撃による負荷が作用しなくなる。これにより、伝達部材の円滑な移動を確保することができる。
【００１０】
また、内側壁には、ベース体の内部に導入された遊技球の通過を検出する近接スイッチが取り付けられるように構成してもよい。これによれば、ベース体の内側壁が不正行為防止機能、伝達部材の移動確保機能を有することに加えて、近接スイッチの収容機能をも有するようになり、近接スイッチを収容するための単独の部材を設けなくて済むので、ベース体をコンパクトに形成することができる。
【００１１】
また、上記課題を解決するために本発明の遊技機は、上記した遊技機用可変入賞装置を備えることを特徴とする。
【００１２】
これによれば、上記した遊技機用可変入賞装置を遊技機の遊技盤に固定配置することで、不正行為を有効に防止でき、また遊技盤の他の役物の配置スペースを良好に確保することができる。
【図面の簡単な説明】
【００１３】
【図１】本発明に係る遊技機用可変入賞装置を備えた遊技機の一例を示す正面図。
【図２】図１に示した遊技機用可変入賞装置が閉鎖状態にあるときの斜視図。
【図３】図１に示した遊技機用可変入賞装置が開放状態にあるときの斜視図。
【図４】図１に示した遊技機用可変入賞装置の分解斜視図。
【図５】（ａ）は図２に示した遊技機用可変入賞装置の正面図。（ｂ）は（ａ）のＡ−Ａ中心断面図。（ｃ）は（ａ）のＡ’−Ａ’断面図。
【図６】（ａ）は図２に示した遊技機用可変入賞装置（中間位置）の正面図。（ｂ）は（ａ）のＢ−Ｂ中心断面図。（ｃ）は（ａ）のＢ’−Ｂ’断面図。
【図７】（ａ）は図３に示した遊技機用可変入賞装置の正面図。（ｂ）は（ａ）のＣ−Ｃ中心断面図。（ｃ）は（ａ）のＣ’−Ｃ’断面図。
【図８】（ａ）は図２に示した遊技機用可変入賞装置の側面図。（ｂ）は（ａ）のＤ−Ｄ断面図。
【図９】（ａ）は図５（ｃ）に示した台板における内側壁の要部拡大図。（ｂ）は（ａ）のＥ−Ｅ断面図。
【図１０】本発明の実施例２に係り、（ａ）は、図９（ａ）に対応する内側壁の要部拡大図。（ｂ）は（ａ）のＦ−Ｆ断面図。
【発明を実施するための形態】
【００１４】
以下、本発明の実施の形態について図面を用いて説明する。
【実施例１】
【００１５】
図１に示すように、遊技機１における遊技盤２の盤面２ａには、円形の遊技領域が形成されており、この遊技領域は外周縁に沿って形成される円弧状のレール２ｂによって区画されている。盤面２ａの中央には液晶表示部３が搭載され、液晶表示部３の下方（盤面２ａの中央下部）には入賞扉４ａによって形成される大入賞口４（アタッカー）が配置されている。液晶表示部３と大入賞口４との間には、始動入賞口である電動チューリップ（電チュー）と称される遊技機用可変入賞装置（以下、入賞装置と略称する）５が配置されている。
【００１６】
なお、本明細書において、上下とは遊技盤２の盤面２ａに沿う態様で遊技球が流下する方向（鉛直方向）を意味する。また、左右とは遊技盤２の盤面２ａに沿う態様で上下と直交する方向（水平方向）を意味する。また、前後とは遊技盤の盤面２ａに直交する方向（水平方向）を意味し、盤面２ａの前側（遊技者側）が前方側であり、盤面２ａの後側（奥側）が後方側である。
【００１７】
図２〜図４に示すように、入賞装置５は、前方側ユニットＦＵと、この前方側ユニットＦＵに一体的に組み付けられる後方側ユニットＲＵとで構成されている。前方側ユニットＦＵは、台板１０、前側装飾部材２０および一対の回動翼片３０，３０を備えており、後方側ユニットＲＵは、ソレノイド４０、伝達部材５０およびベース体６０を備えている。そして、台板１０とベース体６０とにより近接スイッチ７０が前後に挟み込まれて保持されるようになっている。
【００１８】
台板１０は、その前部にて遊技盤２の盤面２ａに取り付けられ（図１参照）、その後部にてベース体６０に取り付けられる。台板１０の前部には、上下一対の上部入賞口１１と下部入賞口１２とが形成されている。上部入賞口１１は、常に開放状態にある始動入賞口である。下部入賞口１２は、前側装飾部材２０および各回動翼片３０を含んで構成され、各回動翼片３０の閉位置に対応して閉鎖状態となり、開位置に対応して開放状態となる始動入賞口である。
【００１９】
台板１０の後部には、図４に示すように、天井壁１３、底壁１４および左右一対の外側壁１５，１５が一体形成されている。天井壁１３と各外側壁１５との連結部位には、ビス８１によって台板１０をベース体６０に取り付けるための取付部１６が形成されている。
【００２０】
天井壁１３の上面には、上部入賞口１１に入賞した遊技球をベース体６０の上部へ誘導するための樋１３ａが形成されており、底壁１４の上面には、下部入賞口１２に入賞して通過孔１０ａに導入された遊技球をベース体６０の内部へ誘導するための樋１４ａが形成されている。なお、入賞した遊技球を円滑に後方へ誘導するために、上部入賞口１１と天井壁１３には、誘導リブ１１ａ，１３ｂがそれぞれ一体形成されている。
【００２１】
底壁１４には、後述するベース体６０の内側壁６５とともにその内側壁６５に組み込まれた近接スイッチ７０の導入を許容する矩形状の切欠孔１４ｂが形成されている。切欠孔１４ｂ内に導入された近接スイッチ７０は、底壁１４の後端面（切欠孔１４ｂの前端面）に当接することで前端が位置決めされる。
【００２２】
各外側壁１５には、台板１０とベース体６０とが前後にスライド係合できるようにするために、後方側のほぼ上半分が切り欠かれて側方に開口する開口部１５ａが形成されている。この開口部１５ａの形成により、各外側壁１５は側面視にて段付き形状を呈する。各外側壁１５から所定距離隔てた内側位置には、内側壁１７が一体形成されている。内側壁１７の上端は天井壁１３に連結され、下端は底壁１４に連結され、前端は台板１０の前部に連結されている。内側壁１７は、側面視にてその後端縁のほぼ全部が開口部１５ａからは見えないように外側壁１５により側方外部と遮断されている。この内側壁１７は、補強部材としての機能を果たすとともに、その一部が所定の形状に切り欠かれて後述する各アーム部５１のガイド突部５７をガイドするガイド壁としての機能を果たしている。
【００２３】
前側装飾部材２０は、後述する各回動翼片３０を閉位置に保持するための傾斜部２１と、開位置に保持するためのストッパリブ２２とを備えており、その後部にてビス８２（例えば２本）により台板１０の前部に取り付けられている。なお、入賞した遊技球を円滑に後方へ誘導するために、前側装飾部材２０には、誘導リブ２３が一体形成されている（図４、図５（ｂ）参照）。
【００２４】
各回動翼片３０は、台板１０と前側装飾部材２０とに渡って前後に架設された支持ピン３１により軸線Ｏ１（第１軸線）回りに回動可能に支持されている。各回動翼片３０は、支持ピン３１よりも内側の部位にて台板１０の通過孔１０ａを通して台板１０の後方へ延び出す係合突部３２を備えるとともに、下側の部位にて前側装飾部材２０の傾斜部２１に当接することで各回動翼片３０を閉位置に保持し、ストッパリブ２２に当接することで各回動翼片３０を開位置に保持する位置決め片３３を備えている。
【００２５】
各回動翼片３０の係合突部３２は、伝達部材５０から作用を受ける回動翼片３０の被作用部としての機能を果たしている。すなわち、伝達部材５０から係合突部３２に対して下方への力が作用した場合には各回動翼片３０が軸線Ｏ１回りに互いに接近する方向（内方）に付勢され（図５（ｂ）参照）、上方への力が作用した場合には各回動翼片３０が軸線Ｏ１回りに互いに離間する方向（外方）に付勢される（図７（ｂ）参照）。
【００２６】
ソレノイド４０（駆動アクチュエータ）は、図４に示すように、コイル部４１、プランジャ４２、およびコイル部４１の左右前後を囲う金属製のケース４３を含んで構成され、コイル部４１への通電により発生する電磁力によってプランジャ４２が前後に移動する。
【００２７】
具体的には、プランジャ４２の前端部には、前後一対の円板状のフランジ部４２ａ，４２ａ（プランジャの作用部）が設けられ、後方側のフランジ部４２ａとケース４３との間には圧縮コイルばね４４が介装されており、プランジャ４２が圧縮コイルばね４４を圧縮しつつコイル部４１内へ引き込まれるようになっている。すなわち、プランジャ４２は、コイル部４１の通電解除状態では圧縮コイルばね４４の付勢力により前方へ押し出された原位置（前進位置、突出位置）にあり、コイル部４１の通電状態では圧縮コイルばね４４の付勢力に抗してコイル部４１内へ引き込まれた作用位置（後退位置）に移動する。
【００２８】
伝達部材５０は、図４〜図８に示すように、一対のアーム部５１，５１が架橋部５２により一体形成されたものである。各アーム部５１における外側面の後部下方位置には、後述する内側壁６５の支持軸部６５ｃに係合して各アーム部５１をプランジャの動作方向（前後方向）に移動可能とするとともに、各アーム部５１を支持軸部６５ｃを回転中心として回動可能とする長孔５３ａを有する軸受け部５３が後向きに延設されている。各アーム部５１の後部には、軸受け部５３と重なり合う部分の一部が切り取られて凹所５４が形成されており、各アーム部５１の後方への移動時に内側壁６５に接触しないように（内側壁６５を回避するように）なっている。
【００２９】
各アーム部５１の前端には、回動翼片３０の係合突部３２と係合可能な二股状の作用部５５が前向きに突設されている。各アーム部５１における内側面の後部上方位置には、プランジャ４２のフランジ部４２ａ，４２ａ間に形成された溝部４２ｂに係合する係合突部５６（被作用部）が内向きに突設されている。
【００３０】
各アーム部５１における外側面の中央部上方位置には、台板１０における内側壁１７のガイド部１７ａによりガイドされる丸軸状のガイド突部５７が外向きに突設されている。また、各アーム部５１における外側面の前部上方位置には、各アーム部５１の移動時に、台板１０における内側壁１７の内面に接触することで各アーム部５１の左右方向への位置ずれを防止する半球状の突起５８が外向きに突設されている（図４参照）。
【００３１】
ベース体６０は、図４に示すように、ソレノイド４０のケース４３を収容する上側の収容部６１と、台板１０と協働して伝達部材５０および近接スイッチ７０を収容する下側の収容部６２とを備えている。ソレノイド４０は、ベース体６０の後方から収容部６１に組み込まれ、ビス８３によって収容部６１に固定配置される。
【００３２】
収容部６２は、左右一対の外側壁６３，６３、中間壁６４および天井壁６６を一体に備えている。中間壁６４は、収容部６１と収容部６２とを前後で区画するように左右に延設され、各外側壁６３の後端に連結されている。各外側壁６３は、下段部が上段部よりも内幅が広くなるように２段の段付き形状に形成されており、台板１０の外側壁１５と前後にスライド係合できるよう、下段部のほぼ下半分が切り欠かれて側方に開口する開口部６３ａが形成されている。開口部６３ａの形成により、各外側壁６３および中間壁６４は、図２、図８に示すように、台板１０の各外側壁１５と隙間なく接触できるようになっている。
【００３３】
各外側壁６３から所定距離隔てた内側位置には、一対の内側壁６５，６５が一体形成されている。各内側壁６５は、中間壁６４の前後および下方に渡って延び出すように中間壁６４に連結されている。中間壁６４を基端とする各内側壁６５の前部は、開口部６３ａの形成により各外側壁６３の側方から視認することができ、その側面視にて上段部が下段部よりも基端からの突出長さが短くなるように２段の段付き形状に形成されている。
【００３４】
各内側壁６５の下段部の内側には、近接スイッチ７０を前後に嵌め入れるための嵌入溝６５ａが形成されている。また、一方の内側壁６５の下段部の後端には、嵌入溝６５ａに嵌め入れられた近接スイッチ７０の後端に係止して位置決めするための係止爪６５ｂが形成されている。各内側壁６５の下段部は、支持底壁６７によって互いに連結されている。支持底壁６７は、近接スイッチ７０を載置するとともに補強部材としての機能を果たすものであり、その前部には近接スイッチ７０を通過した遊技球を下方へ排出するための切欠孔６７ａが形成されている（図５（ｂ）参照）。
【００３５】
各内側壁６５の上段部の外側には、各アーム部５１における軸受け部５３の長孔５３ａと係合する丸軸状の支持軸部６５ｃが外向きに突設されている。各支持軸部６５ｃは、軸線Ｏ１と直交する軸線Ｏ２（第２軸線）方向に突出している。各アーム部５１が軸受け部５３の長孔５３ａによって各内側壁６５の支持軸部６５ｃに取り付けられた状態では、各アーム部５１の内側面が各内側壁６５の内側面とほぼ同一鉛直面上に位置するか、あるいは各アーム部５１の内側面が各内側壁６５の内側面よりも極僅かだけ外方に位置するように設定されている。
【００３６】
これにより、下部入賞口１２から樋１４ａを通ってベース体６０の内部へ誘導された遊技球は、各内側壁６５の上段部の内側面に接触して支持底壁６７の切欠孔６７ａへと誘導されることはあっても、各アーム部５１にはほとんど接触しないようになっている。なお、中間壁６４の前面には、遊技球を支持底壁６７の切欠孔６７ａへ誘導するための誘導リブ６４ａが形成されている。
【００３７】
各外側壁６３の前部上方位置には、台板１０の取付部１６と嵌合する取付部６３ｂが形成されている。天井壁６６の上面（外側面）は、例えば右方へ向かうに従って高さが連続的に低くなる傾斜面状に形成されており、台板１０の樋１３ａからの遊技球をベース体６０の外側の所定位置へ誘導する誘導路として機能する。なお、天井壁６６には遊技球の落下を阻止する落下阻止壁６６ａが設けられ、落下阻止壁６６ａには遊技球を例えば右方へ向けて誘導する誘導リブ６６ｂが設けられている。
【００３８】
上述した台板１０における各内側壁１７のガイド部１７ａは、図５（ｃ）および図９（ａ）に示すように、所定の曲率の円弧に沿って前方へ向かうに従って高さ位置が低くなるように傾斜するガイド面１７ａ１と、そのガイド面１７ａ１の前端から前方に向けて延び出す矩形状のガイド溝１７ａ２とを備えている。ガイド溝１７ａ２の溝幅は、各アーム部５１のガイド突部５７の直径に比べて僅かだけ大きい長さに設定されている。ガイド面１７ａ１は、図９（ｂ）に示すように、平面状の横断面を有している。
【００３９】
次に、図５〜図７を用いて、上記のように構成された入賞装置５の動作について説明する。なお、図５（ｂ）、図６（ｂ）および図７（ｂ）では、ソレノイド４０の圧縮コイルばね４４を省略してある。
【００４０】
ソレノイド４０のコイル部４１が通電解除状態に維持されているときは、図５（ａ）に示すように、各回動翼片３０が閉位置にある。この状態では、図５（ｂ）に示すように、プランジャ４２が作用位置にあり、図５（ｃ）に示すように、各アーム部５１において軸受け部５３の長孔５３ａの後端面が支持軸部６５ｃに当接するとともに、ガイド突部５７がガイド部１７ａのガイド溝１７ａ２に係合している。
【００４１】
コイル部４１が通電状態になると、図５（ｂ）に示す原位置にあるプランジャ４２が図６（ｂ）に示す中間位置に向けて移動する。具体的には、プランジャ４２の後方への移動に伴って、各アーム部５１は姿勢をそのままとしつつ、すなわち各回動翼片３０を閉位置に保持した状態で軸受け部５３の長孔５３ａの前端面が支持軸部６５ｃに当接するまで後方へ直線移動する。この状態になると、図６（ｃ）に示すように、ガイド突部５７がガイド部１７ａのガイド溝１７ａ２から離脱するようになる。
【００４２】
図６（ｂ）に示す中間位置に達したプランジャ４２が図７（ｂ）に示す作用位置に向けて移動するのに伴って、各アーム部５１は支持軸部６５ｃを回転中心として軸線Ｏ２回りに上方へ回動する。このとき、各アーム部５１の作用部５５が回動翼片３０の係合突部３２を押し上げ、各回動翼片３０を軸線Ｏ１回りに互いに離間する方向に回動させる。
【００４３】
プランジャ４２が図７（ｂ）に示す作用位置に達すると、各回動翼片３０は自重によりさらに軸線Ｏ１回りに極僅かな量だけ回動し、位置決め片３３が前側装飾部材２０のストッパリブ２２に当接することで、図７（ａ）に示す開位置に保持される。
【００４４】
一方、通電状態にあるコイル部４１が通電解除状態になると、圧縮コイルばね４４の付勢力を受けて、図７（ｂ）に示す作用位置にあるプランジャ４２が図６（ｂ）に示す中間位置に向けて移動する。具体的には、まずプランジャ４２の前方への移動に伴って、各アーム部５１は支持軸部６５ｃを回転中心として軸線Ｏ２回りに下方へ回動し、軸受け部５３の長孔５３ａがプランジャ４２の動作方向（前後方向）とほぼ平行になるまで回動する。各アーム部５１が下方へ回動動作するとき、作用部５５が回動翼片３０の係合突部３２を押し下げ、各回動翼片３０を軸線Ｏ１回りに互いに接近する方向に回動させる。また、ガイド突部５７がガイド部１７のガイド面１７ａ１により下方へ誘導される。プランジャ４２が図６（ｂ）に示す中間位置に達すると、各回動翼片３０も閉位置に達するようになる。
【００４５】
次に、プランジャ４２が図６（ｂ）に示す中間位置から図５（ｂ）に示す原位置に向けて移動する。この場合、各アーム部５１は姿勢をそのままとしつつ、軸受け部５３の長孔５３ａの後端面が支持軸部６５ｃに当接するまで前方へ直線移動する。各アーム部５１が前方へ移動するとき、ガイド突部５７がガイド部１７ａのガイド溝１７ａ２に係合して前方へ誘導される。軸受け部５３の長孔５３ａの後端面が支持軸部６５ｃに当接すると、ガイド突部５７がガイド溝１７ａ２内に位置するようになる。
【００４６】
プランジャ４２が図５（ｂ）に示す原位置に移動して各回動翼片３０が閉位置に達した状態で、不正行為により各回動翼片３０を強制的に開位置へ動作させようとする外力が作用した場合には、ガイド突部５７がガイド溝１７ａ２により上方への移動を阻止されることで、各アーム部５１が支持軸部６５ｃを回転中心として軸線Ｏ２回りに上方へ回動することが阻止（ロック）される。これにより、各回動翼片３０の閉状態が保持されるので、不正行為を防止することができる。
【００４７】
ところで、この実施例１では、ベース体６０の各内側壁６５に各アーム部５１を移動可能に支持する支持軸部６５ｃが設けられ、各アーム部５１に支持軸部６５ｃと係合する長孔５３ａを有する軸受け部５３が設けられている。また、台板１０の内側壁１７に各アーム部５１のガイド突部５７と係合可能なガイド溝１７ａ２が形成されている。そして、各内側壁６５の支持軸部６５ｃおよび各アーム部５１の軸受け部５３は、ベース体６０の外側壁６３よりも内側位置に配置され、各内側壁１７のガイド溝１７ａ２および各アーム部５１のガイド突部５７は、台板１０の外側壁１５よりも内側位置に配置されている。
【００４８】
これにより、各内側壁６５の支持軸部６５ｃ、各内側壁１７のガイド溝１７ａ２、および各アーム部５１の軸受け部５３、ガイド突部５７のいずれに対しても外部から直接触れることができなくなり、各アーム部５１を直接移動させるような外力を一切与えることができなくなるので、不正行為を良好に防止することができる。
【００４９】
また、この実施例１では、各支持軸部６５ｃが各内側壁６５の外側面にて外向きに突設されており、ベース体６０の内部に導入された遊技球が両内側壁６５，６５の間を通過するように構成されている。これにより、遊技球が各内側壁６５に衝撃を与えた場合でも、各支持軸部６５ｃおよび各アーム部５１の軸受け部５３に対しては遊技球の衝撃による負荷が作用しなくなって、各アーム部５１の円滑な移動を確保することができる。
【００５０】
また、この実施例１では、両内側壁６５，６５に、ベース体６０の内部に導入された遊技球の通過を検出する近接スイッチ７０が取り付けられる。これにより、各内側壁６５が不正行為防止機能、各アーム部５１の移動確保機能を有することに加えて、近接スイッチ７０の収容機能をも有するようになり、近接スイッチ７０を収容するための単独の部材を設けなくて済むので、ベース体６０をコンパクトに形成することができる。
【００５１】
また、上記実施例１では、以上に説明した入賞装置５が遊技盤２に固定配置されている。これにより、不正行為を有効に防止でき、また遊技盤２の他の役物の配置スペースを良好に確保することができる。
【実施例２】
【００５２】
上記した実施例１では、図９に示したように、各内側壁１７におけるガイド部１７ａのガイド面１７ａ１が側面視にて円弧状に傾斜するとともに、平面状の横断面を有するように形成したが、これに代えて例えば図１０に示すように、各内側壁１７’におけるガイド部１７ａ’のガイド面１７ａ１’が側面視にて直線状に傾斜するとともに、Ｒ面状の横断面を有するように形成してもよい。ガイド面１７ａ１’をＲ面状に形成することで、各アーム部５１のガイド突部５７との接触抵抗を小さくすることができるので、この実施例２によっても、上記実施例１と同様、ガイド突部５７をガイド面１７ａ１’に沿って円滑に誘導することができる。
【符号の説明】
【００５３】
１  遊技機
２  遊技盤
２ａ  盤面
５  遊技機用可変入賞装置（入賞装置）
１０  台板
１５  外側壁
１７  内側壁（ガイド壁）
１７ａ  ガイド部
１７ａ１  ガイド面
１７ａ２  ガイド溝
２０  前側装飾部材
３０  回動翼片
３１  支持ピン
３２  係合突部
４０  ソレノイド（駆動アクチュエータ）
４２  プランジャ
４２ａ  フランジ部（プランジャの作用部）
５０  伝達部材
５１  アーム部
５２  架橋部
５３  軸受け部
５３ａ  長孔
５４  凹所
５５  アーム部の作用部
５６  係合突部（被作用部）
５７  ガイド突部
６０  ベース体
６１，６２  収容部
６３  外側壁
６４  中間壁
６５  内側壁
６５ａ  嵌入溝
６５ｂ  係止爪
６５ｃ  支持軸部
６７  支持底壁
６７ａ  切欠孔
７０  近接スイッチ
Ｏ１  軸線（第１軸線）
Ｏ２  軸線（第２軸線）
【図１】
2010253008.tif 000003
【図２】
2010253008.tif 000004
【図３】
2010253008.tif 000005
【図４】
2010253008.tif 000006
【図５】
2010253008.tif 000007
【図６】
2010253008.tif 000008
【図７】
2010253008.tif 000009
【図８】
2010253008.tif 000010
【図９】
2010253008.tif 000011
【図１０】
2010253008.tif 000012